(57)【要約】【課題】  女性特有の精神的又は身体的諸症状を改善する薬剤を効率的に探索する手段を提供することを目的とする。【解決手段】  女性を卵胞期、排卵期、黄体前期、黄体後期などの群に分け、各群に被検物質を投与し、各群ごとにその被検物質の効能を評価することを特徴とする特定の月経ステージにおいて効能を示す物質のスクリーニング方法。【選択図】  なし【特許請求の範囲】
【請求項１】
卵巣ステロイドホルモンの動態を基準として雌性動物を複数の群に分け、各群に被検物質を投与し、各群ごとにその被検物質の効能を評価することを特徴とする卵巣ステロイドホルモンの動態を基準として分けられた特定の群に対して効能を示す物質のスクリーニング方法。
【請求項２】
卵巣ステロイドホルモンの動態を基準として分けられた群が、月経周期又は性周期によって分けられた群である請求項１記載の卵巣ステロイドホルモンの動態を基準として分けられた特定の群に対して効能を示す物質のスクリーニング方法。
【請求項３】
月経周期によって分けられた群が、卵胞期群、排卵期群、黄体前期群、及び黄体後期群である請求項２記載の卵巣ステロイドホルモンの動態を基準として分けられた特定の群に対して効能を示す物質のスクリーニング方法。
【請求項４】
雌性動物が、ヒトである請求項１乃至３のいずれか一項記載の卵巣ステロイドホルモンの動態を基準として分けられた特定の群に対して効能を示す物質のスクリーニング方法。
【請求項５】
被検物質が、匂いを発する物質である請求項１乃至４のいずれか一項記載の卵巣ステロイドホルモンの動態を基準として分けられた特定の群に対して効能を示す物質のスクリーニング方法。
【請求項６】
被検物質の投与が、被検物質を雌性動物に嗅がせることである請求項５記載の卵巣ステロイドホルモンの動態を基準として分けられた特定の群に対して効能を示す物質のスクリーニング方法。
【発明の詳細な説明】
【技術分野】
【０００１】
本発明は、卵巣ステロイドホルモンの動態を基準として分けられた特定の群に対して効能を示す物質のスクリーニング方法に関する。本発明のスクリーニング方法によって女性特有の精神的又は身体的諸症状を改善する薬剤を効率的に探索できるようになる。
【背景技術】
【０００２】
多くの女性は、特に器質的な疾患がなくても、女性ホルモンの変動によって、女性特有の精神・身体症状（抑うつ気分、意欲低下、睡眠障害、腹痛、肌荒れ）に悩ませられる。これらの症状は、黄体後期（月経開始７日前〜月経開始日まで）には月経前緊張症として、出産直後（出産後３日目〜２週間）にはマタニティーブルーとして、閉経前後には更年期障害として、出現する。これまで、重症な場合にはホルモン補充療法や抗うつ剤などの向中枢神経薬投与が行われてきた。しかし、軽症である多くの女性の場合、医療側からは、器質的な病因がないために「不定愁訴」として医療の対象から除外されたり、患者側もホルモンや薬物による治療に抵抗を持っているために、多くの女性はがまんすることで対処していた。
【非特許文献１】Shinohara, K., Morofushi, M., Funabashi, T., and Kimura, F., Axillary pheromone modulate pulsatile secretion in humans. Neuroreport. 12, 893-895 (2001)
【発明の開示】
【発明が解決しようとする課題】
【０００３】
女性ホルモンの変動によって生じる諸症状は、一般に「病気」という認識が薄く、このため、このような症状を改善するための薬剤の開発もあまり積極的に取り組まれていなかった。
【０００４】
本発明は、以上のような技術的背景の下になされたものであり、女性特有の精神的又は身体的諸症状を改善する薬剤を効率的に探索する手段を提供することを目的とする。
【課題を解決するための手段】
【０００５】
本発明者は、上記課題を解決するため鋭意検討を重ねた結果、女性を月経ステージごとに複数の群に分け、各群に匂いを発する物質（以下、単に「匂い物質」という）を嗅がせたところ、匂い物質の効果が群によって異なる場合があることを見出し、この知見を基に本発明を完成するに至った。
【０００６】
即ち、本発明は、以下（１）〜（６）を提供する。
（１）卵巣ステロイドホルモンの動態を基準として雌性動物を複数の群に分け、各群に被検物質を投与し、各群ごとにその被検物質の効能を評価することを特徴とする卵巣ステロイドホルモンの動態を基準として分けられた特定の群に対して効能を示す物質のスクリーニング方法。
（２）卵巣ステロイドホルモンの動態を基準として分けられた群が、月経周期又は性周期によって分けられた群である（１）記載の卵巣ステロイドホルモンの動態を基準として分けられた特定の群に対して効能を示す物質のスクリーニング方法。
（３）月経周期によって分けられた群が、卵胞期群、排卵期群、黄体前期群、及び黄体後期群である（２）記載の卵巣ステロイドホルモンの動態を基準として分けられた特定の群に対して効能を示す物質のスクリーニング方法。
（４）雌性動物が、ヒトである（１）乃至（３）のいずれか記載の卵巣ステロイドホルモンの動態を基準として分けられた特定の群に対して効能を示す物質のスクリーニング方法。
（５）被検物質が、匂い物質である（１）乃至（４）のいずれか記載の卵巣ステロイドホルモンの動態を基準として分けられた特定の群に対して効能を示す物質のスクリーニング方法。
（６）被検物質の投与が、被検物質を雌性動物に嗅がせることである（５）記載の卵巣ステロイドホルモンの動態を基準として分けられた特定の群に対して効能を示す物質のスクリーニング方法。
【０００７】
以下、本発明を詳細に説明する。
【０００８】
本発明のスクリーニング方法は、卵巣ステロイドホルモンの動態を基準として分けられた特定の群に対して効能を示す物質のスクリーニング方法であって、卵巣ステロイドホルモンの動態を基準として雌性動物を複数の群に分け、各群に被検物質を投与し、各群ごとにその被検物質の効能を評価することを特徴とするものである。
【０００９】
雌性動物は、主としてヒトであるが、ヒト以外の動物、例えば、マウス、ラット、馬、牛、ブタ、ニワトリ、などを対象にしてもよい。
【００１０】
「卵巣ステロイドホルモンの動態を基準として分けられた群」とは、例えば、月経周期によって分けられた群（主にヒトの場合）、性周期によって分けられた群（主にヒト以外の動物の場合）などをいう。
【００１１】
月経周期によって分けられた群は、卵胞期群、排卵期群、黄体前期群、及び黄体後期群の４群に分けるのが通常であるが、これらの群の一部を合わせて、２群、３群にしてもよく、また、これらの群を更に細分し、５群以上の群としてもよい。また、排卵又はLHサージから何日から何日の群、というように排卵等からの日数を基準として群を分けてもよい。なお、卵胞期、排卵期、黄体前期、及び黄体後期という用語は、この分野において通常使われている意味で解される。本明細書中では、卵胞期は月経開始後５〜１０日、排卵期はLHサージ後０〜２日、黄体前期はLHサージ後４〜７日、黄体後期はLHサージから９〜１２日と規定している。
【００１２】
性周期によって分けられた群は、発情期、発情前期、発情間期と分けるのが通常であるが、これらの群を更に細分し、４群以上の群としてもよい。
【００１３】
被検物質は特に限定されないが、匂い物質であることが好ましい。匂い物質としては、実施例で使用したシトラール、シベトン、β−カリオフィレン、エピジャスモン酸メチル、リナロール、タバコを例示できるが、これら以外にも、リナロール、リナリルアセテート、シカラクトン、ゲラニオール、シトロネラール、ムスコン、シトロネロール、α−ピネン、リモネン、ターピネン-4-オール1.8シネオールなどを使用してもよい。
【００１４】
被検物質の投与方法としては、経口的、経静脈的、経皮的に投与してもよいが、被検物質が匂い物質の場合には、被検物質の匂いを雌性動物に嗅がせるような投与方法が好ましい。
【００１５】
効能は、卵巣ステロイドホルモン（ヒトの場合は女性ホルモン）の変動によって生じる諸症状に対する効能であることが好ましいが、これに限定されるわけではない。また、効能は、精神的な効能であっても身体的な効能であってもよい。評価対象とする効能の具体例としては、女性の不定愁訴（抑うつ気分、倦怠感、意欲低下、不眠・過眠、食欲不振・過食、不安、性欲の低下）に対する効能、にきび・肌荒れ、頭痛、生理痛、腰痛、便秘に対する効能、職場における作業効率への効能、成人病に対する効能、肌の保湿力（みずみずしさ）を改善する効能、交感神経系への効能、肥満への効能、免疫力への効能、などを挙げることができるが、これらに限定されるわけではない。
【発明の効果】
【００１６】
本発明のスクリーニング方法により、女性ホルモンの変動によって生じる諸症状に対して効能を持つ薬剤などを容易に見つけ出すことができるようになる。
【発明を実施するための最良の形態】
【００１７】
以下、本発明を実施例により更に詳細に説明する。
【実施例】
【００１８】
正常月経周期（２６〜３４日）を回帰する精神的・身体的に健常な２０代の非喫煙者の女性を対象に、種々の匂い物質を嗅いだ場合に生じる心理的変化を調べた。
【００１９】
予め被験者には、基礎体温の記録と排卵検査薬による排卵日（LHサージ状分泌日）の確認を行ってもらい、これを基に被検者を卵胞期（月経開始後５〜１０日）、排卵期（LHサージ後０〜２日）、黄体前期（LHサージ後４〜７日）、黄体後期（LHサージ後９〜１２日）の４つのグループに分けた。
【００２０】
実験は、空気を2 L/minの風量で、匂い物質あるいは溶媒のみの入ったガラス瓶に送り、そこから出てきた空気を被験者の鼻から10cm離したロートから放出させることにより行い、これを30分間続けた。実験中は、被験者には椅子に座ってリラックスした状態で普段と変わらない呼吸をしてもらい、また、心電図をモニターし、実験開始から10分後に、血圧測定、副作用のチェック（体調に関するアンケート）を行なった。このとき、何らかの異常を認めた場合、その場で実験を中止し適切な処置を行うこととした。
【００２１】
まず、被検者の匂い感受性閾値（コントロールと区別しうる最低濃度）を測定し、匂い物質を嗅ぎ始めて１０分後と３０分後に、心理検査を行った。
【００２２】
心理検査は、「やる気」、「安心感」、「気分」、「幸福感」、「嗜好性」、「刺激」、「食欲」、「親しみ」、「性的興奮」、「知的」、「頭の冴え」、「疲れ」、「不快」、「腹立たしさ」、「眠気」の15項目について行い、10cm線分法によって評価した。
【００２３】
また、匂い物質としては、シトラール、シベトン、β−カリオフィレン、エピジャスモン酸メチル、リナロール、タバコの６種類とし、各物質の濃度は、被検者の匂い感受性閾値の10倍の濃度とした。なお、以上の実験は、被験者の書面による同意を得た上で行った。
【００２４】
実験の結果を以下に示す。なお、図１〜１５中の「F」、「OV」、「EL」、「LL」はそれぞれ「卵胞期のグループ」、「排卵期のグループ」、「黄体前期のグループ」、「黄体後期のグループ」を表す。
【００２５】
（１−１）「やる気」とシトラールの匂いとの関係
「やる気」とシトラールの匂いとの関係を図１に示す。図に示すように、卵胞期のグループはマイナスの評価を示したのに対し、排卵期、黄体前期、及び黄体後期のグループはプラスの評価を示した。このことから、シトラールの「やる気」に対する作用は、月経ステージごとに差異があると考えられる。
【００２６】
なお、「やる気」に関するプラスの評価とは、「やる気がでる」といった心理状態を意味し、マイナスの評価とは、「やる気をなくす」といった心理状態を意味する。
【００２７】
（１−２）「やる気」とシベトンの匂いとの関係
「やる気」とシベトンの匂いとの関係を図１に示す。図に示すように、卵胞期及び排卵期のグループはプラスの評価を示したのに対し、黄体前期及び黄体後期のグループはマイナスの評価を示した。このことから、シベトンの「やる気」に対する作用は、月経ステージごとに差異があると考えられる。
【００２８】
（１−３）「やる気」とβ−カリオフィレンの匂いとの関係
「やる気」とβ−カリオフィレンの匂いとの関係を図１に示す。図に示すように、卵胞期のグループはマイナスの評価を示したのに対し、排卵期及び黄体後期のグループはプラスの評価を示した。このことから、β−カリオフィレンの「やる気」に対する作用は、月経ステージごとに差異があると考えられる。
【００２９】
（１−４）「やる気」とエピジャスモン酸メチルの匂いとの関係
「やる気」とエピジャスモン酸メチルの匂いとの関係を図１に示す。図に示すように、ほぼすべてのグループがプラスの評価を示しており、この結果を見る限り、エピジャスモン酸メチルの「やる気」に対する作用は、月経ステージごとに差異があるとは考え難い。
【００３０】
（１−５）「やる気」とリナロールの匂いとの関係
「やる気」とリナロールの匂いとの関係を図１に示す。図に示すように、どのグループも、プラス、マイナスのいずれにも明確な評価を示しておらず、この結果を見る限り、リナロールの「やる気」に対する作用は、月経ステージごとに差異があるとは考え難い。
【００３１】
（１−６）「やる気」とタバコの匂いとの関係
「やる気」とタバコの匂いとの関係を図１に示す。図に示すように、すべてのグループがマイナスの評価を示しており、この結果を見る限り、タバコの「やる気」に対する作用は、月経ステージごとに差異があるとは考え難い。
【００３２】
（２−１）「安心感」とシトラールの匂いとの関係
「安心感」とシトラールの匂いとの関係を図２に示す。図に示すように、ほぼすべてのグループがプラスの評価を示しており、この結果を見る限り、シトラールの「安心感」に対する作用は、月経ステージごとに差異があるとは考え難い。
【００３３】
なお、「安心感」に関するプラスの評価とは、「安心できる」といった心理状態を意味し、マイナスの評価は、「不安を感じる」といった心理状態を意味する。
【００３４】
（２−２）「安心感」とシベトンの匂いとの関係
「安心感」とシベトンの匂いとの関係を図２に示す。図に示すように、排卵期、黄体前期、及び黄体後期のグループはプラス、マイナスのいずれにも明確な評価を示さなかったが、卵胞期のグループは、プラスの評価を示した。このことから、シベトンの「安心感」に対する作用は、月経ステージごとに差異があると考えられる。
【００３５】
（２−３）「安心感」とβ−カリオフィレンの匂いとの関係
「安心感」とβ−カリオフィレンの匂いとの関係を図２に示す。図に示すように、排卵期、黄体前期及び黄体後期のグループはプラス、マイナスのいずれにも明確な評価を示さなかったが、卵胞期のグループは、マイナスの評価を示した。このことから、β−カリオフィレンの「安心感」に対する作用は、月経ステージごとに差異があると考えられる。
【００３６】
（２−４）「安心感」とエピジャスモン酸メチルの匂いとの関係
「安心感」とエピジャスモン酸メチルの匂いとの関係を図２に示す。図に示すように、ほぼすべてのグループがマイナスの評価を示しており、この結果を見る限り、エピジャスモン酸メチルの「安心感」に対する作用は、月経ステージごとに差異があるとは考え難い。
【００３７】
（２−５）「安心感」とリナロールの匂いとの関係
「安心感」とリナロールの匂いとの関係を図２に示す。図に示すように、ほぼすべてのグループがマイナスの評価を示しており、この結果を見る限り、リナロールの「安心感」に対する作用は、月経ステージごとに差異があるとは考え難い。
【００３８】
（２−６）「安心感」とタバコの匂いとの関係
「安心感」とタバコの匂いとの関係を図２に示す。図に示すように、すべてのグループがマイナスの評価を示しており、この結果を見る限り、タバコの「安心感」に対する作用は、月経ステージごとに差異があるとは考え難い。
【００３９】
（３−１）「気分」とシトラールの匂いとの関係
「気分」とシトラールの匂いとの関係を図３に示す。図に示すように、すべてのグループがプラスの評価を示しており、この結果を見る限り、シトラールの「気分」に対する作用は、月経ステージごとに差異があるとは考え難い。
【００４０】
なお、「気分」に関するプラスの評価とは、「気分が高揚する」といった心理状態を意味し、マイナスの評価とは、「気分が沈む」といった心理状態を意味する。
【００４１】
（３−２）「気分」とシベトンの匂いとの関係
「気分」とシベトンの匂いとの関係を図３に示す。図に示すように、ほぼすべてのグループがプラスの評価を示しており、この結果を見る限り、シベトンの「気分」に対する作用は、月経ステージごとに差異があるとは考え難い。
【００４２】
（３−３）「気分」とβ−カリオフィレンの匂いとの関係
「気分」とβ−カリオフィレンの匂いとの関係を図３に示す。図に示すように、どのグループもプラス、マイナスのいずれにも明確な評価を示しておらず、この結果を見る限り、β−カリオフィレンの「気分」に対する作用は、月経ステージごとに差異があるとは考え難い。
【００４３】
（３−４）「気分」とエピジャスモン酸メチルの匂いとの関係
「気分」とエピジャスモン酸メチルの匂いとの関係を図３に示す。図に示すように、ほぼすべてのグループがプラスの評価を示しており、この結果を見る限り、エピジャスモン酸メチルの「気分」に対する作用は、月経ステージごとに差異があるとは考え難い。
【００４４】
（３−５）「気分」とリナロールの匂いとの関係
「気分」とリナロールの匂いとの関係を図３に示す。図に示すように、卵胞期、黄体前期、黄体後期のグループはプラスの評価を示したが、排卵期のグループはマイナスの評価を示した。このことから、リナロールの「気分」に対する作用は、月経ステージごとに差異があると考えられる。
【００４５】
（３−６）「気分」とタバコの匂いとの関係
「気分」とタバコの匂いとの関係を図３に示す。図に示すように、すべてのグループがマイナスの評価を示しており、この結果を見る限り、タバコの「気分」に対する作用は、月経ステージごとに差異があるとは考え難い。
【００４６】
（４−１）「幸福感」とシトラールの匂いとの関係
「幸福感」とシトラールの匂いとの関係を図４に示す。図に示すように、ほぼすべてのグループがプラスの評価を示しており、この結果を見る限り、シトラールの「幸福感」に対する作用は、月経ステージごとに差異があるとは考え難い。
【００４７】
なお、「幸福感」に関するプラスの評価とは、「幸福感を感じる」といった心理状態を意味し、マイナスの評価とは、「幸福感を感じない」といった心理状態を意味する。
【００４８】
（４−２）「幸福感」とシベトンの匂いとの関係
「幸福感」とシベトンの匂いとの関係を図４に示す。図に示すように、どのグループもプラス、マイナスのいずれにも明確な評価を示しておらず、この結果を見る限り、シベトンの「幸福感」に対する作用は、月経ステージごとに差異があるとは考え難い。
【００４９】
（４−３）「幸福感」とβ−カリオフィレンの匂いとの関係
「幸福感」とβ−カリオフィレンの匂いとの関係を図４に示す。図に示すように、卵胞期及び排卵期のグループはプラス、マイナスのいずれにも明確な評価を示さなかったが、卵黄前期及び卵黄後期のグループは、プラスの評価を示した。このことから、β−カリオフィレンの「幸福感」に対する作用は、月経ステージごとに差異があると考えられる。
【００５０】
（４−４）「幸福感」とエピジャスモン酸メチルの匂いとの関係
「幸福感」とエピジャスモン酸メチルの匂いとの関係を図４に示す。図に示すように、どのグループもプラス、マイナスのいずれにも明確な評価を示しておらず、この結果を見る限り、エピジャスモン酸メチルの「幸福感」に対する作用は、月経ステージごとに差異があるとは考え難い。
【００５１】
（４−５）「幸福感」とリナロールの匂いとの関係
「幸福感」とリナロールの匂いとの関係を図４に示す。図に示すように、卵胞期のグループはプラスの評価を示し、排卵期及び黄体後期のグループはマイナスの評価を示し、黄体前期のグループはプラス、マイナスのいずれにも明確な評価を示さなかった。このことから、リナロールの「幸福感」に対する作用は、月経ステージごとに差異があると考えられる。
【００５２】
（４−６）「幸福感」とタバコの匂いとの関係
「幸福感」とタバコの匂いとの関係を図４に示す。図に示すように、すべてのグループがマイナスの評価を示しており、この結果を見る限り、タバコの「幸福感」に対する作用は、月経ステージごとに差異があるとは考え難い。
【００５３】
（５−１）「嗜好性」とシトラールの匂いとの関係
「嗜好性」とシトラールの匂いとの関係を図５に示す。図に示すように、すべてのグループがプラスの評価を示しており、この結果を見る限り、シトラールの「嗜好性」に対する作用は、月経ステージごとに差異があるとは考え難い。
【００５４】
なお、「嗜好性」に関するプラスの評価とは、「嗜好性がある」といった心理状態を意味し、マイナスの評価とは、「嗜好性がない」といった心理状態を意味する。
【００５５】
（５−２）「嗜好性」とシベトンの匂いとの関係
「嗜好性」とシベトンの匂いとの関係を図５に示す。図に示すように、すべてのグループがプラスの評価を示しており、この結果を見る限り、シベトンの「嗜好性」に対する作用は、月経ステージごとに差異があるとは考え難い。
【００５６】
（５−３）「嗜好性」とβ−カリオフィレンの匂いとの関係
「嗜好性」とβ−カリオフィレンの匂いとの関係を図５に示す。図に示すように、卵胞期及び排卵期のグループはプラス、マイナスのいずれにも明確な評価を示さなかったが、黄体前期及び黄体後期のグループは、プラスの評価を示した。このことから、β−カリオフィレンの「嗜好性」に対する作用は、月経ステージごとに差異があると考えられる。
【００５７】
（５−４）「嗜好性」とエピジャスモン酸メチルの匂いとの関係
「嗜好性」とエピジャスモン酸メチルの匂いとの関係を図５に示す。図に示すように、卵胞期、黄体前期及び黄体後期のグループはプラス、マイナスのいずれにも明確な評価を示さなかったが、排卵期のグループは、プラスの評価を示した。このことから、エピジャスモン酸メチルの「嗜好性」に対する作用は、月経ステージごとに差異があると考えられる。
【００５８】
（５−５）「嗜好性」とリナロールの匂いとの関係
「嗜好性」とリナロールの匂いとの関係を図５に示す。図に示すように、卵胞期、排卵期、黄体後期のグループはマイナスの評価を示したのに対し、黄体前期のグループはプラスの評価を示した。このことから、リナロールの「嗜好性」に対する作用は、月経ステージごとに差異があると考えられる。
【００５９】
（５−６）「嗜好性」とタバコの匂いとの関係
「嗜好性」とタバコの匂いとの関係を図５に示す。図に示すように、すべてのグループがマイナスの評価を示しており、この結果を見る限り、タバコの「嗜好性」に対する作用は、月経ステージごとに差異があるとは考え難い。
【００６０】
（６−１）「刺激」とシトラールの匂いとの関係
「刺激」とシトラールの匂いとの関係を図６に示す。図に示すように、黄体前期及び黄体後期のグループはプラス、マイナスのいずれにも明確な評価を示さなかったが、卵胞期及び排卵期のグループは、プラスの評価を示した。このことから、シトラールの「刺激」に対する作用は、月経ステージごとに差異があると考えられる。
【００６１】
なお、「刺激」に関するプラスの評価とは、「刺激的（興奮）」といった心理状態を意味し、マイナスの評価とは、「刺激的でない（興奮しない）」といった心理状態を意味する。
【００６２】
（６−２）「刺激」とシベトンの匂いとの関係
「刺激」とシベトンの匂いとの関係を図６に示す。図に示すように、黄体前期及び黄体後期のグループはプラス、マイナスのいずれにも明確な評価を示さなかったが、卵胞期及び排卵期のグループは、プラスの評価を示した。このことから、シベトンの「刺激」に対する作用は、月経ステージごとに差異があると考えられる。
【００６３】
（６−３）「刺激」とβ−カリオフィレンの匂いとの関係
「刺激」とβ−カリオフィレンの匂いとの関係を図６に示す。図に示すように、どのグループもプラス、マイナスのいずれにも明確な評価を示しておらず、この結果を見る限り、β−カリオフィレンの「刺激」に対する作用は、月経ステージごとに差異があるとは考え難い。
【００６４】
（６−４）「刺激」とエピジャスモン酸メチルの匂いとの関係
「刺激」とエピジャスモン酸メチルの匂いとの関係を図６に示す。図に示すように、すべてのグループがプラスの評価を示しており、この結果を見る限り、エピジャスモン酸メチルの「刺激」に対する作用は、月経ステージごとに差異があるとは考え難い。
【００６５】
（６−５）「刺激」とリナロールの匂いとの関係
「刺激」とリナロールの匂いとの関係を図６に示す。図に示すように、すべてのグループがプラスの評価を示しており、この結果を見る限り、リナロールの「刺激」に対する作用は、月経ステージごとに差異があるとは考え難い。
【００６６】
（６−６）「刺激」とタバコの匂いとの関係
「刺激」とタバコの匂いとの関係を図６に示す。図に示すように、すべてのグループがプラスの評価を示しており、この結果を見る限り、タバコの「刺激」に対する作用は、月経ステージごとに差異があるとは考え難い。
【００６７】
（７−１）「食欲」とシトラールの匂いとの関係
「食欲」とシトラールの匂いとの関係を図７に示す。図に示すように、どのグループもプラス、マイナスのいずれにも明確な評価を示しておらず、この結果を見る限り、シトラールの「食欲」に対する作用は、月経ステージごとに差異があるとは考え難い。
【００６８】
なお、「食欲」に関するプラスの評価とは、「食欲が湧く」といった心理状態を意味し、マイナスの評価とは、「食欲が湧かない」といった心理状態を意味する。
【００６９】
（７−２）「食欲」とシベトンの匂いとの関係
「食欲」とシベトンの匂いとの関係を図７に示す。図に示すように、卵胞期、排卵期、及び黄体前期のグループはプラス、マイナスのいずれにも明確な評価を示さなかったが、黄体後期のグループは、プラスの評価を示した。このことから、シベトンの「食欲」に対する作用は、月経ステージごとに差異があると考えられる。
【００７０】
（７−３）「食欲」とβ−カリオフィレンの匂いとの関係
「食欲」とβ−カリオフィレンの匂いとの関係を図７に示す。図に示すように、どのグループもプラス、マイナスのいずれにも明確な評価を示しておらず、この結果を見る限り、β−カリオフィレンの「食欲」に対する作用は、月経ステージごとに差異があるとは考え難い。
【００７１】
（７−４）「食欲」とエピジャスモン酸メチルの匂いとの関係
「食欲」とエピジャスモン酸メチルの匂いとの関係を図７に示す。図に示すように、どのグループもプラス、マイナスのいずれにも明確な評価を示しておらず、この結果を見る限り、エピジャスモン酸メチルの「食欲」に対する作用は、月経ステージごとに差異があるとは考え難い。
【００７２】
（７−５）「食欲」とリナロールの匂いとの関係
「食欲」とリナロールの匂いとの関係を図７に示す。図に示すように、どのグループもプラス、マイナスのいずれにも明確な評価を示しておらず、この結果を見る限り、リナロールの「食欲」に対する作用は、月経ステージごとに差異があるとは考え難い。
【００７３】
（７−６）「食欲」とタバコの匂いとの関係
「食欲」とタバコの匂いとの関係を図７に示す。図に示すように、どのグループもプラス、マイナスのいずれにも明確な評価を示しておらず、この結果を見る限り、タバコの「食欲」に対する作用は、月経ステージごとに差異があるとは考え難い。
【００７４】
（８−１）「親しみ」とシトラールの匂いとの関係
「親しみ」とシトラールの匂いとの関係を図８に示す。図に示すように、どのグループもプラス、マイナスのいずれにも明確な評価を示しておらず、この結果を見る限り、シトラールの「親しみ」に対する作用は、月経ステージごとに差異があるとは考え難い。
【００７５】
なお、「親しみ」に関するプラスの評価とは、「親しみを感じる」といった心理状態を意味し、マイナスの評価とは、「親しみを感じない」といった心理状態を意味する。
【００７６】
（８−２）「親しみ」とシベトンの匂いとの関係
「親しみ」とシベトンの匂いとの関係を図８に示す。図に示すように、どのグループもプラス、マイナスのいずれにも明確な評価を示しておらず、この結果を見る限り、シベトンの「親しみ」に対する作用は、月経ステージごとに差異があるとは考え難い。
【００７７】
（８−３）「親しみ」とβ−カリオフィレンの匂いとの関係
「親しみ」とβ−カリオフィレンの匂いとの関係を図８に示す。図に示すように、卵胞期及び排卵期グループはプラス、マイナスのいずれにも明確な評価を示さなかったが、黄体前期及び黄体後期のグループは、プラスの評価を示した。このことから、β−カリオフィレンの「親しみ」に対する作用は、月経ステージごとに差異があると考えられる。
【００７８】
（８−４）「親しみ」とエピジャスモン酸メチルの匂いとの関係
「親しみ」とエピジャスモン酸メチルの匂いとの関係を図８に示す。図に示すように、すべてのグループがマイナスの評価を示しており、この結果を見る限り、エピジャスモン酸メチルの「親しみ」に対する作用は、月経ステージごとに差異があるとは考え難い。
【００７９】
（８−５）「親しみ」とリナロールの匂いとの関係
「親しみ」とリナロールの匂いとの関係を図８に示す。図に示すように、卵胞期及び黄体前期のグループはプラス、マイナスいずれにも明確な評価を示さなかったのに対し、排卵期及び黄体後期のグループはマイナスの評価を示した。このことから、リナロールの「親しみ」に対する作用は、月経ステージごとに差異があると考えられる。
【００８０】
（８−６）「親しみ」とタバコの匂いとの関係
「親しみ」とタバコの匂いとの関係を図８に示す。図に示すように、すべてのグループがマイナスの評価を示しており、この結果を見る限り、タバコの「親しみ」に対する作用は、月経ステージごとに差異があるとは考え難い。
【００８１】
（９−１）「性的興奮」とシトラールの匂いとの関係
「性的興奮」とシトラールの匂いとの関係を図９に示す。図に示すように、どのグループもプラス、マイナスのいずれにも明確な評価を示しておらず、この結果を見る限り、シトラールの「性的興奮」に対する作用は、月経ステージごとに差異があるとは考え難い。
【００８２】
なお、「性的興奮」に関するプラスの評価とは、「性欲が増した」といった心理状態を意味し、マイナスの評価とは、「性欲が低下した」といった心理状態を意味する。
【００８３】
（９−２）「性的興奮」とシベトンの匂いとの関係
「性的興奮」とシベトンの匂いとの関係を図９に示す。図に示すように、どのグループもプラス、マイナスのいずれにも明確な評価を示しておらず、この結果を見る限り、シベトンの「性的興奮」に対する作用は、月経ステージごとに差異があるとは考え難い。
【００８４】
（９−３）「性的興奮」とβ−カリオフィレンの匂いとの関係
「性的興奮」とβ−カリオフィレンの匂いとの関係を図９に示す。図に示すように、どのグループもプラス、マイナスのいずれにも明確な評価を示しておらず、この結果を見る限り、β−カリオフィレンの「性的興奮」に対する作用は、月経ステージごとに差異があるとは考え難い。
【００８５】
（９−４）「性的興奮」とエピジャスモン酸メチルの匂いとの関係
「性的興奮」とエピジャスモン酸メチルの匂いとの関係を図９に示す。図に示すように、排卵期及び黄体前期のグループはプラス、マイナスのいずれにも明確な評価を示さなかったが、卵胞期及び黄体後期のグループは、プラスの評価を示した。このことから、エピジャスモン酸メチルの「性的興奮」に対する作用は、月経ステージごとに差異があると考えられる。
【００８６】
（９−５）「性的興奮」とリナロールの匂いとの関係
「性的興奮」とリナロールの匂いとの関係を図９に示す。図に示すように、排卵期及び黄体前期のグループはプラス、マイナスのいずれにも明確な評価を示さなかったが、卵胞期及び黄体後期のグループは、プラスの評価を示した。このことから、リナロールの「性的興奮」に対する作用は、月経ステージごとに差異があると考えられる。
【００８７】
（９−６）「性的興奮」とタバコの匂いとの関係
「性的興奮」とタバコの匂いとの関係を図９に示す。図に示すように、排卵期、黄体前期及び黄体後期のグループはプラス、マイナスのいずれにも明確な評価を示さなかったが、卵胞期のグループは、プラスの評価を示した。このことから、タバコの「性的興奮」に対する作用は、月経ステージごとに差異があると考えられる。
【００８８】
（１０−１）「知的」とシトラールの匂いとの関係
「知的」とシトラールの匂いとの関係を図１０に示す。図に示すように、すべてのグループがプラスの評価を示しており、この結果を見る限り、シトラールの「知的」に対する作用は、月経ステージごとに差異があるとは考え難い。
【００８９】
なお、「知的」に関するプラスの評価とは、「知的な感じがする」といった心理状態を意味し、マイナスの評価とは、「知的な感じがしない」といった心理状態を意味する。
【００９０】
（１０−２）「知的」とシベトンの匂いとの関係
「知的」とシベトンの匂いとの関係を図１０に示す。図に示すように、ほぼすべてのグループがプラスの評価を示しており、この結果を見る限り、シベトンの「知的」に対する作用は、月経ステージごとに差異があるとは考え難い。
【００９１】
（１０−３）「知的」とβ−カリオフィレンの匂いとの関係
「知的」とβ−カリオフィレン匂いとの関係を図１０に示す。図に示すように、ほぼすべてのグループがプラスの評価を示しており、この結果を見る限り、β−カリオフィレンの「知的」に対する作用は、月経ステージごとに差異があるとは考え難い。
【００９２】
（１０−４）「知的」とエピジャスモン酸メチルの匂いとの関係
「知的」とエピジャスモン酸メチル匂いとの関係を図１０に示す。図に示すように、すべてのグループがプラスの評価を示しており、この結果を見る限り、エピジャスモン酸メチルの「知的」に対する作用は、月経ステージごとに差異があるとは考え難い。
【００９３】
（１０−５）「知的」とリナロールの匂いとの関係
「知的」とリナロールの匂いとの関係を図１０に示す。図に示すように、すべてのグループがプラスの評価を示しており、この結果を見る限り、リナロールの「知的」に対する作用は、月経ステージごとに差異があるとは考え難い。
【００９４】
（１０−６）「知的」とタバコの匂いとの関係
「知的」とタバコの匂いとの関係を図１０に示す。図に示すように、すべてのグループがマイナスの評価を示しており、この結果を見る限り、タバコの「知的」に対する作用は、月経ステージごとに差異があるとは考え難い。
【００９５】
（１１−１）「頭の冴え」とシトラールの匂いとの関係
図に示すように、すべてのグループがプラスの評価を示しており、この結果を見る限り、シトラールの「頭の冴え」に対する作用は、月経ステージごとに差異があるとは考え難い。
【００９６】
なお、「頭の冴え」に関するプラスの評価とは、「頭が冴える」といった心理状態を意味し、マイナスの評価とは、「頭が混乱する」といった心理状態を意味する。
【００９７】
（１１−２）「頭の冴え」とシベトンの匂いとの関係
「頭の冴え」とシベトンの匂いとの関係を図１１に示す。図に示すように、どのグループもプラス、マイナスのいずれにも明確な評価を示しておらず、この結果を見る限り、シベトンの「頭の冴え」に対する作用は、月経ステージごとに差異があるとは考え難い。
【００９８】
（１１−３）「頭の冴え」とβ−カリオフィレンの匂いとの関係
「頭の冴え」とβ−カリオフィレンの匂いとの関係を図１１に示す。図に示すように、卵胞期のグループはマイナスの評価を示したのに対し、排卵期、黄体前期及び黄体後期のグループはプラスの評価を示した。このことから、β−カリオフィレンの「頭の冴え」に対する作用は、月経ステージごとに差異があると考えられる。
【００９９】
（１１−４）「頭の冴え」とエピジャスモン酸メチルの匂いとの関係
「頭の冴え」とエピジャスモン酸メチルの匂いとの関係を図１１に示す。図に示すように、ほぼすべてのグループがプラスの評価を示しており、この結果を見る限り、エピジャスモン酸メチルの「頭の冴え」に対する作用は、月経ステージごとに差異があるとは考え難い。
【０１００】
（１１−５）「頭の冴え」とリナロールの匂いとの関係
「頭の冴え」とリナロールの匂いとの関係を図１１に示す。図に示すように、卵胞期及び黄体前期のグループはプラスの評価を示したのに対し、排卵期及び黄体後期のグループはマイナスの評価を示した。このことから、リナロールの「頭の冴え」に対する作用は、月経ステージごとに差異があると考えられる。
【０１０１】
（１１−６）「頭の冴え」とタバコの匂いとの関係
「頭の冴え」とタバコの匂いとの関係を図１１に示す。図に示すように、すべてのグループがマイナスの評価を示しており、この結果を見る限り、タバコの「頭の冴え」に対する作用は、月経ステージごとに差異があるとは考え難い。
【０１０２】
（１２−１）「疲れ」とシトラールの匂いとの関係
「疲れ」とシトラールの匂いとの関係を図１２に示す。図に示すように、ほぼすべてのグループがプラスの評価を示しており、この結果を見る限り、シトラールの「疲れ」に対する作用は、月経ステージごとに差異があるとは考え難い。
【０１０３】
なお、「疲れ」に関するプラスの評価とは、「疲労感が取れる」といった心理状態を意味し、マイナスの評価とは、「疲労感を感じる」といった心理状態を意味する。
【０１０４】
（１２−２）「疲れ」とシベトンの匂いとの関係
「疲れ」とシベトンの匂いとの関係を図１２に示す。図に示すように、ほぼすべてのグループがプラスの評価を示しており、この結果を見る限り、シベトンの「疲れ」に対する作用は、月経ステージごとに差異があるとは考え難い。
【０１０５】
（１２−３）「疲れ」とβ−カリオフィレンの匂いとの関係
「疲れ」とβ−カリオフィレンの匂いとの関係を図１２示す。図に示すように、卵胞期のグループはマイナスの評価を示したのに対し、排卵期、黄体前期及び黄体後期のグループはプラスの評価を示した。このことから、β−カリオフィレンの「疲れ」に対する作用は、月経ステージごとに差異があると考えられる。
【０１０６】
（１２−４）「疲れ」とエピジャスモン酸メチルの匂いとの関係
「疲れ」とエピジャスモン酸メチルの匂いとの関係を図１２に示す。図に示すように、どのグループもプラス、マイナスのいずれにも明確な評価を示しておらず、この結果を見る限り、エピジャスモン酸メチルの「疲れ」に対する作用は、月経ステージごとに差異があるとは考え難い。
【０１０７】
（１２−５）「疲れ」とリナロールの匂いとの関係
「疲れ」とリナロールの匂いとの関係を図１２に示す。図に示すように、どのグループもプラス、マイナスのいずれにも明確な評価を示しておらず、この結果を見る限り、リナロールの「疲れ」に対する作用は、月経ステージごとに差異があるとは考え難い。
【０１０８】
（１２−６）「疲れ」とタバコの匂いとの関係
「疲れ」とタバコの匂いとの関係を図１２に示す。図に示すように、すべてのグループがマイナスの評価を示しており、この結果を見る限り、タバコの「疲れ」に対する作用は、月経ステージごとに差異があるとは考え難い。
【０１０９】
（１３−１）「不快」とシトラールの匂いとの関係
「不快」とシトラールの匂いとの関係を図１３に示す。図に示すように、すべてのグループがプラスの評価を示しており、この結果を見る限り、シトラールの「不快」に対する作用は、月経ステージごとに差異があるとは考え難い。
【０１１０】
なお、「不快」に関するプラスの評価とは、「心地よく感じる」といった心理状態を意味し、マイナスの評価とは、「不快に感じる」といった心理状態を意味する。
【０１１１】
（１３−２）「不快」とシベトンの匂いとの関係
「不快」とシベトンの匂いとの関係を図１３に示す。図に示すように、ほぼすべてのグループがプラスの評価を示しており、この結果を見る限り、シベトンの「不快」に対する作用は、月経ステージごとに差異があるとは考え難い。
【０１１２】
（１３−３）「不快」とβ−カリオフィレンの匂いとの関係
「不快」とβ−カリオフィレンの匂いとの関係を図１３に示す。図に示すように、排卵期、黄体前期及び黄体後期のグループはプラス、マイナスのいずれにも明確な評価を示さなかったが、卵胞期のグループは、マイナスの評価を示した。このことから、β−カリオフィレンの「不快」に対する作用は、月経ステージごとに差異があると考えられる。
【０１１３】
（１３−４）「不快」とエピジャスモン酸メチルの匂いとの関係
「不快」とエピジャスモン酸メチルの匂いとの関係を図１３に示す。図に示すように、どのグループもプラス、マイナスのいずれにも明確な評価を示しておらず、この結果を見る限り、エピジャスモン酸メチルの「不快」に対する作用は、月経ステージごとに差異があるとは考え難い。
【０１１４】
（１３−５）「不快」とリナロールの匂いとの関係
「不快」とリナロールの匂いとの関係を図１３に示す。図に示すように、卵胞期及び黄体前期のグループはプラス、マイナスのいずれにも明確な評価を示さなかったが、排卵期及び黄体後期のグループは、マイナスの評価を示した。このことから、リナロールの「不快」に対する作用は、月経ステージごとに差異があると考えられる。
【０１１５】
（１３−６）「不快」とタバコの匂いとの関係
「不快」とタバコの匂いとの関係を図１３に示す。図に示すように、すべてのグループがマイナスの評価を示しており、この結果を見る限り、タバコの「不快」に対する作用は、月経ステージごとに差異があるとは考え難い。
【０１１６】
（１４−１）「腹立たしさ」とシトラールの匂いとの関係
「腹立たしさ」とシトラールの匂いとの関係を図１４に示す。図に示すように、どのグループもプラス、マイナスいずれにも明確な評価を示しておらず、この結果を見る限り、シトラールの「腹立たしさ」に対する作用は、月経ステージごとに差異があるとは考え難い。
【０１１７】
なお、「腹立たしさ」に関するプラスの評価とは、「腹立しさを感じない」といった心理状態を意味し、マイナスの評価とは、「腹立たしい」といった心理状態を意味する。
【０１１８】
（１４−２）「腹立たしさ」とシベトンの匂いとの関係
「腹立たしさ」とシベトンの匂いとの関係を図１４に示す。図に示すように、どのグループもプラス、マイナスいずれにも明確な評価を示しておらず、この結果を見る限り、シベトンの「腹立たしさ」に対する作用は、月経ステージごとに差異があるとは考え難い。
【０１１９】
（１４−３）「腹立たしさ」とβ−カリオフィレンの匂いとの関係
「腹立たしさ」とβ−カリオフィレンの匂いとの関係を図１４に示す。図に示すように、どのグループもプラス、マイナスいずれにも明確な評価を示しておらず、この結果を見る限り、β−カリオフィレンの「腹立たしさ」に対する作用は、月経ステージごとに差異があるとは考え難い。
【０１２０】
（１４−４）「腹立たしさ」とエピジャスモン酸メチルの匂いとの関係
「腹立たしさ」とエピジャスモン酸メチルの匂いとの関係を図１４に示す。図に示すように、すべてのグループがマイナスの評価を示しており、この結果を見る限り、エピジャスモン酸メチルの「腹立たしさ」に対する作用は、月経ステージごとに差異があるとは考え難い。
【０１２１】
（１４−５）「腹立たしさ」とリナロールの匂いとの関係
「腹立たしさ」とリナロールの匂いとの関係を図１４に示す。図に示すように、排卵期のグループはプラス、マイナスのいずれにも明確な評価を示さなかったが、卵胞期、黄体前期、黄体後期のグループは、マイナスの評価を示した。このことから、リナロールの「腹立たしさ」に対する作用は、月経ステージごとに差異があると考えられる。
【０１２２】
（１４−６）「腹立たしさ」とタバコの匂いとの関係
「腹立たしさ」とタバコの匂いとの関係を図１４に示す。図に示すように、すべてのグループがマイナスの評価を示しており、この結果を見る限り、タバコの「腹立たしさ」に対する作用は、月経ステージごとに差異があるとは考え難い。
【０１２３】
（１５−１）「眠気」とシトラールの匂いとの関係
「眠気」とシトラールの匂いとの関係を図１５に示す。図に示すように、どのグループもプラス、マイナスいずれにも明確な評価を示しておらず、この結果を見る限り、シトラールの「眠気」に対する作用は、月経ステージごとに差異があるとは考え難い。
【０１２４】
なお、「眠気」に関するプラスの評価とは、「目が冴える」といった心理状態を意味し、マイナスの評価とは、「眠い」といった心理状態を意味する。
【０１２５】
（１５−２）「眠気」とシベトンの匂いとの関係
「眠気」とシベトンの匂いとの関係を図１５に示す。図に示すように、ほぼすべてのグループがプラスの評価を示しており、この結果を見る限り、シベトンの「眠気」に対する作用は、月経ステージごとに差異があるとは考え難い。
【０１２６】
（１５−３）「眠気」とβ−カリオフィレンの匂いとの関係
「眠気」とβ−カリオフィレンの匂いとの関係を図１５に示す。図に示すように、どのグループもプラス、マイナスいずれにも明確な評価を示しておらず、この結果を見る限り、β−カリオフィレンの「眠気」に対する作用は、月経ステージごとに差異があるとは考え難い。
【０１２７】
（１５−４）「眠気」とエピジャスモン酸メチルの匂いとの関係
「眠気」とエピジャスモン酸メチルの匂いとの関係を図１５に示す。図に示すように、卵胞期、排卵期、黄体前期のグループはプラスの評価を示したのに対し、黄体後期のグループは、マイナスの評価を示した。このことから、エピジャスモン酸メチルの「眠気」に対する作用は、月経ステージごとに差異があると考えられる。
【０１２８】
（１５−５）「眠気」とリナロールの匂いとの関係
「眠気」とリナロールの匂いとの関係を図１５に示す。図に示すように、卵胞期及び排卵期のグループはマイナスの評価を示したのに対し、黄体前期及び黄体後期のグループはプラスの評価を示した。このことから、リナロールの「眠気」に対する作用は、月経ステージごとに差異があると考えられる。
【０１２９】
（１５−６）「眠気」とタバコの匂いとの関係
「眠気」とタバコの匂いとの関係を図１５に示す。図に示すように、どのグループもプラス、マイナスいずれにも明確な評価を示しておらず、この結果を見る限り、タバコの「眠気」に対する作用は、月経ステージごとに差異があるとは考え難い。
【図面の簡単な説明】
【０１３０】
【図１】各種匂い物質の「やる気」に対する作用を示す図（縦軸は「やる気」に関する心理的変化、横軸は月経ステージ）。
【図２】各種匂い物質の「安心感」に対する作用を示す図（縦軸は「安心感」に関する心理的変化、横軸は月経ステージ）。
【図３】各種匂い物質の「気分」に対する作用を示す図（縦軸は「気分」に関する心理的変化、横軸は月経ステージ）。
【図４】各種匂い物質の「幸福感」に対する作用を示す図（縦軸は「幸福感」に関する心理的変化、横軸は月経ステージ）。
【図５】各種匂い物質の「嗜好性」に対する作用を示す図（縦軸は「嗜好性」に関する心理的変化、横軸は月経ステージ）。
【図６】各種匂い物質の「刺激」に対する作用を示す図（縦軸は「刺激」に関する心理的変化、横軸は月経ステージ）。
【図７】各種匂い物質の「食欲」に対する作用を示す図（縦軸は「食欲」に関する心理的変化、横軸は月経ステージ）。
【図８】各種匂い物質の「親しみ」に対する作用を示す図（縦軸は「親しみ」に関する心理的変化、横軸は月経ステージ）。
【図９】各種匂い物質の「性的興奮」に対する作用を示す図（縦軸は「性的興奮」に関する心理的変化、横軸は月経ステージ）。
【図１０】各種匂い物質の「知的」に対する作用を示す図（縦軸は「知的」に関する心理的変化、横軸は月経ステージ）。
【図１１】各種匂い物質の「頭の冴え」に対する作用を示す図（縦軸は「頭の冴え」に関する心理的変化、横軸は月経ステージ）。
【図１２】各種匂い物質の「疲れ」に対する作用を示す図（縦軸は「疲れ」に関する心理的変化、横軸は月経ステージ）。
【図１３】各種匂い物質の「不快」に対する作用を示す図（縦軸は「不快」に関する心理的変化、横軸は月経ステージ）。
【図１４】各種匂い物質の「腹立たしさ」に対する作用を示す図（縦軸は「腹立たしさ」に関する心理的変化、横軸は月経ステージ）。
【図１５】各種匂い物質の「眠気」に対する作用を示す図（縦軸は「眠気」に関する心理的変化、横軸は月経ステージ）。
【図１】
2005241428.tif 000002
【図２】
2005241428.tif 000003
【図３】
2005241428.tif 000004
【図４】
2005241428.tif 000005
【図５】
2005241428.tif 000006
【図６】
2005241428.tif 000007
【図７】
2005241428.tif 000008
【図８】
2005241428.tif 000009
【図９】
2005241428.tif 000010
【図１０】
2005241428.tif 000011
【図１１】
2005241428.tif 000012
【図１２】
2005241428.tif 000013
【図１３】
2005241428.tif 000014
【図１４】
2005241428.tif 000015
【図１５】
2005241428.tif 000016